(57)【要約】【課題】本発明は、養殖篭のかど部分に付着物が溜まらないように形成されたホタテ養殖篭及びその製造方法を提供する。【解決手段】本発明のホタテ養殖篭は、田の字状に形成された角枠１と、該角枠１を内底面に収納し、全体形状が四角錐状の網地２からなるホタテ養殖篭において、前記四角錐状の網地２の稜線Ａと前記角枠１の角部から立ち上がる網地の稜線Ｂとのかど部３を三角形にカットした形状としたものである。なお、前記ホタテ養殖篭には、吊下げのためのロープ４が前記四角錐状の網地２の頂部に円輪５を形成し、前記四角錐状の網地２の中を通して前記角枠１の中央部に結ばれ、さらに前記ロープ４の延長部６には同様のホタテ養殖篭が多段に連結される。【選択図】図１
2011110006.tif 000002
【特許請求の範囲】
【請求項１】
田の字状に形成された角枠と、該角枠を内底面に収納し、全体が四角錐状の網地とからなるホタテ養殖篭において、前記四角錐状の網地の稜線と前記角枠の角から立ち上がる網地の稜線との三角形のかど部をカットした形状としたことを特徴とするホタテ養殖篭。
【請求項２】
略正方形にカットされた網地は、正方形の各辺を二等分する中心線を仮想し、該中心線に各辺からＶ字状にカットを行い、各辺に三角形状の切欠きを形成し、Ｖ字状にカットされた網地は、仮想した中心線に沿って折り返し、網地を二つ折りに重ね、この重ね網地の折り返し部の三角形状の切欠きを含む左右辺は２枚重ねで縫合部が形成され、上部は同一網地側のＶ字の切り口同士を縫合する縫合部が形成され、このようにして形成された縫合済み網地は、裏返して整形されて四角錐状の網地となり、この網地に角枠を挿入することによりホタテ養殖篭となることを特徴とするホタテ養殖篭の製造方法。
【発明の詳細な説明】
【技術分野】
【０００１】
本発明は、ホタテ稚貝を入れ一定期間海中で成長させるホタテ養殖篭及びその製造方法に関する。
【背景技術】
【０００２】
ホタテ貝を養殖する場合には、養殖篭に稚貝を入れ一定期間海中で成長させる。ホタテ養殖の長年の経験から、養殖篭の容積が大きいほど貝の成長がよいとされてきた。反面、海中には餌となるプランクトンの他、様々な生物が浮遊しており、それが養殖篭に付着するため容積の大きい養殖篭ほど付着物が多く、それらにプランクトンなどの栄養分を摂られ養殖篭の中へプランクトンの流入が減る。このため、養殖篭に付着物が多い年は貝の成長に悪い影響を及ぼし減収となる。
養殖篭への付着物は、貝の分散（成長に伴う間引き作業）時や、貝の出荷時など、陸上にあがったときに専用洗浄機で除去するが（特許文献１、特許文献２を参照）、網地から脱落した付着物が養殖篭内のかど部分に溜まってしまい、手作業でその除去作業をしなくてはならない。
また、図７及び図８に示す養殖篭のかど部分は貝の成長に対する有効容積に関係ないので除去したほうが良いとも考えられていた。しかし、かどを除去するのは、製造上コスト高となってしまうなどの理由から今まで着手されなかった。
近年は温暖化等の影響で水温が上がり、毎年のように付着物が多く、また従来発生していなかった生物までが浮遊し養殖篭に付着するようになってきたため、貝の成長懸念、養殖篭の洗浄時間や手作業など現場の負荷は一層増大しており、加えて重くなった施設を浮かせるための浮玉購入の費用や、重さに耐えられなくなった施設の破損による出費および貝の出荷予定数量減による収入減を引き起こし、負担が増大している。よって以前にも増して付着物対策の養殖篭の開発・改良が急務となってきた。
【先行技術文献】
【特許文献】
【０００３】
【特許文献１】実開平１−１５２７８２号公報
【特許文献２】特開２００４−５８０３６号公報
【発明の概要】
【発明が解決しようとする課題】
【０００４】
本発明は、養殖篭内のかど部分に付着物が溜まらないように形成されたホタテ養殖篭、およびその製造方法に関する。
【課題を解決するための手段】
【０００５】
本発明のホタテ養殖篭は、田の字状に形成された角枠と、該角枠を内底面に収納し、全体が四角錐状の網地とからなるホタテ養殖篭において、前記四角錐状の網地の稜線と前記角枠の角から立ち上がる網地の稜線との三角形のかど部をカットした形状としたものである。
本発明のホタテ養殖篭の製造方法は、略正方形にカットされた網地は、正方形の各辺を二等分する中心線を仮想し、該中心線に各辺からＶ字状にカットを行い、各辺に三角形状の切欠きを形成し、Ｖ字状にカットされた網地は、仮想した中心線に沿って折り返し、網地を二つ折りに重ね、この重ね網地の折り返し部の三角形状の切欠きを含む左右辺は２枚重ねで縫合部が形成され、上部は同一網地側のＶ字の切り口同士を縫合する縫合部が形成され、このようにして形成された縫合済み網地は、裏返して整形されて四角錐状の網地となり、この網地に角枠を挿入することによりホタテ養殖篭となる。
【発明の効果】
【０００６】
本発明のホタテ養殖篭は、田の字状に形成された角枠と、該角枠を内底面に収納し、全体が四角錐状の網地とからなるホタテ養殖篭において、前記四角錐状の網地の稜線と前記角枠の角から立ち上がる網地の稜線との三角形のかど部をカットした形状としたため、かどがなくなることで、付着物も少なく、また洗浄時篭内の付着物除去が容易になり、作業効率が向上し、人件費カットに貢献できる。
海流の影響を受けにくく、貝のへい死や変形貝など異常貝発生の原因となる篭の回転や傾きを抑制できることから、収入の安定化にも貢献できる。
本発明のホタテ養殖篭の製造方法は、従来の網地カット・ミシン縫い工程のついでにカット部分の作業（カット・ミシン縫い）ができるため、製造コストを抑制でき安価にできる。
本発明のホタテ養殖篭の製造方法は、カットの長さを数値（何ｃｍカット）で指定できるため、海域や個人の希望に応えられる。
【図面の簡単な説明】
【０００７】
【図１】本発明のホタテ養殖篭の概略側面図である。
【図２】本発明のホタテ養殖篭の原反カットの概略図である。
【図３】本発明のホタテ養殖篭の４ヶ所カットの概略図である。
【図４】本発明のホタテ養殖篭の網地折り返しの概略図である。
【図５】本発明のホタテ養殖篭の両端縫合部の概略図である。
【図６】本発明のホタテ養殖篭のＶ字切り口縫合部の概略図である。
【図７】従来のホタテ養殖篭の概略斜視図である。
【図８】従来のホタテ養殖篭の概略側面図である。
【発明を実施するための形態】
【０００８】
本発明のホタテ養殖篭の一実施例を添付図面に基づいて、以下に説明する。
図１に示すように、本発明のホタテ養殖篭は、田の字状に形成された角枠１と、該角枠１を内底面に収納し、全体形状が四角錐状の網地２からなるホタテ養殖篭において、前記四角錐状の網地２の稜線Ａと前記角枠１の角部から立ち上がる網地の稜線Ｂとのかど部３を三角形にカットした形状としたものである。
なお、前記ホタテ養殖篭には、吊下げのためのロープ４が前記四角錐状の網地２の頂部に円輪５を形成し、前記四角錐状の網地２の中を通して前記角枠１の中央部に結ばれ、さらに前記ロープ４の延長部６には同様のホタテ養殖篭が多段に連結される。
本発明のホタテ養殖篭は、かどがなくなることで付着物が少なく、篭内の付着物の除去が容易になり、作業効率が向上し、人件費カットに貢献できる。
更に、海流の影響を受けにくく、貝のへい死や変形貝など異常貝発生の原因となる篭の回転や傾きを抑制できることから、収入の安定化にも貢献できる。
【０００９】
次に、本発明のホタテ養殖篭の製造方法の一実施例を添付図面に基づいて、以下に説明する。
ポリエチレンなどのプラスチック製の菱目網或いは角目網の網地原反７から網地を引き出し、図２に示すように、ホタテ養殖篭の大きさに合わせて所定長さ８にカットする。
略正方形にカットされた網地は、図３に示すように、正方形の各辺を二等分する中心線９を仮想し、該中心線９に各辺からＶ字状にカットを行い、各辺に三角形状の切欠き１０を形成する。
Ｖ字状にカットされた網地は、図４に示すように、仮想した中心線９に沿って折り返し、網地を二つ折りに重ねる。このようにした重ね網地は長方形をなし、上辺の中央および左右辺には三角形状の切欠きが形成されている。
【００１０】
図５に示すように、この長方形の重ね網地の折り返し部の両端、すなわち三角形状の切欠きを含む左右辺は２枚重ねで縫合部１１が形成され、上部は同一網地側のＶ字の切り口同士を縫合する縫合部１２が形成される。
図６に示すように、Ｖ字の切り口同士を縫合する部分を重ね合わせ、両者が縫合されることにより縫合部１２が形成され、上辺の長さが絞り込まれる。
このようにして形成された縫合済み網地は、裏返して整形されて四角錐状の網地２となり、この網地２に角枠１を挿入することにより図１に示すホタテ養殖篭となる。
本発明のホタテ養殖篭の製造方法は、従来の網地カット・ミシン縫い工程のついでにカット部分の作業（カット・ミシン縫い）ができるため、製造コストを抑制でき安価にできる。
本発明のホタテ養殖篭の製造方法は、カットの長さを数値（何ｃｍカット）で指定できるため、海域や個人の希望に応えられる。
【符号の説明】
【００１１】
１  角枠
２  網地
３  かど部
４  ロープ
５  円輪
６  延長部
７  網地原反
８  所定長さ
９  中心線
１０  切欠き
１１  縫合部
１２  縫合部
Ａ，Ｂ  稜線
【図１】
2011110006.tif 000003
【図２】
2011110006.tif 000004
【図３】
2011110006.tif 000005
【図４】
2011110006.tif 000006
【図５】
2011110006.tif 000007
【図６】
2011110006.tif 000008
【図７】
2011110006.tif 000009
【図８】
2011110006.tif 000010
【手続補正書】
【提出日】平成22年3月15日(2010.3.15)
【手続補正１】
【補正対象書類名】特許請求の範囲
【補正対象項目名】全文
【補正方法】変更
【補正の内容】
【特許請求の範囲】
【請求項１】
田の字状に形成された角枠と、該角枠を内底面に収納し、四角錐状の網地の稜線の先端部が平面視で前記角枠の角部より外方に位置する形状のホタテ養殖篭において、前記四角錐状の網地の稜線と前記角枠の角部から立ち上がる網地の稜線との前記角枠の角部より外方に位置する三角形のかど部をカットした形状とすることを特徴とするホタテ養殖篭。
【請求項２】
略正方形にカットされた網地は、正方形の各辺を二等分する中心線を仮想し、該中心線に各辺からＶ字状にカットを行い、正方形の各辺に三角形状の切欠きを形成し、Ｖ字状にカットされた網地は、仮想した中心線に沿って折り返し、網地を二つ折りに重ね、この重ね網地の折り返し部の三角形状の切欠きを含む左右辺は２枚重ねで縫合部が形成され、上部は同一網地側のＶ字の切り口同士を縫合する縫合部が形成され、このようにして形成された縫合済み網地は、裏返されて整形されて四角錐状の網地となり、この網地に角枠を挿入することにより前記請求項１記載のホタテ養殖篭となることを特徴とするホタテ養殖篭の製造方法。
【手続補正２】
【補正対象書類名】明細書
【補正対象項目名】０００５
【補正方法】変更
【補正の内容】
【０００５】
本発明のホタテ養殖篭は、田の字状に形成された角枠と、該角枠を内底面に収納し、四角錐状の網地の稜線の先端部が平面視で前記角枠の角部より外方に位置する形状のホタテ養殖篭において、前記四角錐状の網地の稜線と前記角枠の角部から立ち上がる網地の稜線との前記角枠の角部より外方に位置する三角形のかど部をカットした形状とするものである。
本発明のホタテ養殖篭の製造方法は、略正方形にカットされた網地は、正方形の各辺を二等分する中心線を仮想し、該中心線に各辺からＶ字状にカットを行い、正方形の各辺に三角形状の切欠きを形成し、Ｖ字状にカットされた網地は、仮想した中心線に沿って折り返し、網地を二つ折りに重ね、この重ね網地の折り返し部の三角形状の切欠きを含む左右辺は２枚重ねで縫合部が形成され、上部は同一網地側のＶ字の切り口同士を縫合する縫合部が形成され、このようにして形成された縫合済み網地は、裏返されて整形されて四角錐状の網地となり、この網地に角枠を挿入することにより上記記載形状のホタテ養殖篭となる。
【手続補正３】
【補正対象書類名】明細書
【補正対象項目名】０００６
【補正方法】変更
【補正の内容】
【０００６】
本発明のホタテ養殖篭は、田の字状に形成された角枠と、該角枠を内底面に収納し、四角錐状の網地の稜線の先端部が平面視で前記角枠の角部より外方に位置する形状のホタテ養殖篭において、前記四角錐状の網地の稜線と前記角枠の角部から立ち上がる網地の稜線との前記角枠の角部より外方に位置する三角形のかど部をカットした形状とするため、かどがなくなることで、付着物も少なく、また洗浄時篭内の付着物除去が容易になり、作業効率が向上し、人件費カットに貢献できる。
海流の影響を受けにくく、貝のへい死や変形貝など異常貝発生の原因となる篭の回転や傾きを抑制できることから、収入の安定化にも貢献できる。
本発明のホタテ養殖篭の製造方法は、従来の網地カット・ミシン縫い工程のついでにカット部分の作業（カット・ミシン縫い）ができるため、製造コストを抑制でき安価にできる。
本発明のホタテ養殖篭の製造方法は、カットの長さを数値（何ｃｍカット）で指定できるため、海域や個人の希望に応えられる。
【手続補正４】
【補正対象書類名】明細書
【補正対象項目名】０００８
【補正方法】変更
【補正の内容】
【０００８】
本発明のホタテ養殖篭の一実施例を添付図面に基づいて、以下に説明する。
図１に示すように、本発明のホタテ養殖篭は、田の字状に形成された角枠１と、該角枠１を内底面に収納し、四角錐状の網地２の稜線の先端部が平面視で前記角枠１の角部より外方に位置する形状のホタテ養殖篭において、前記四角錐状の網地２の稜線Ａと前記角枠１の角部から立ち上がる網地の稜線Ｂとの前記角枠１の角部より外方に位置する三角形のかど部３をカットした形状とするものである。
なお、前記ホタテ養殖篭には、吊下げのためのロープ４が前記四角錐状の網地２の頂部に円輪５を形成し、前記四角錐状の網地２の中を通して前記角枠１の中央部に結ばれ、さらに前記ロープ４の延長部６には同様のホタテ養殖篭が多段に連結される。
本発明のホタテ養殖篭は、かどがなくなることで、付着物も少なく、篭内の付着物の除去が容易になり、作業効率が向上し、人件費カットに貢献できる。
更に、海流の影響を受けにくく、貝のへい死や変形貝など異常貝発生の原因となる篭の回転や傾きを抑制できることから、収入の安定化にも貢献できる。
【手続補正書】
【提出日】平成22年5月7日(2010.5.7)
【手続補正１】
【補正対象書類名】特許請求の範囲
【補正対象項目名】全文
【補正方法】変更
【補正の内容】
【特許請求の範囲】
【請求項１】
略正方形にカットされた網地は、正方形の各辺を二等分する中心線を仮想し、該中心線に各辺からＶ字状にカットを行い、各辺に三角形状の切欠きを形成し、Ｖ字状にカットされた網地は、仮想した中心線に沿って折り返し、網地を二つ折りに重ね、この重ね網地の折り返し部の三角形状の切欠きを含む左右辺は２枚重ねで縫合部が形成され、上部は同一網地側のＶ字の切り口同士を縫合する縫合部が形成され、このようにして形成された縫合済み網地は、裏返されて整形されて四角錐状の網地となり、この網地に角枠を挿入したことを特徴とするホタテ養殖篭。
【請求項２】
略正方形にカットされた網地は、正方形の各辺を二等分する中心線を仮想し、該中心線に各辺からＶ字状にカットを行い、各辺に三角形状の切欠きを形成し、Ｖ字状にカットされた網地は、仮想した中心線に沿って折り返し、網地を二つ折りに重ね、この重ね網地の折り返し部の三角形状の切欠きを含む左右辺は２枚重ねで縫合部が形成され、上部は同一網地側のＶ字の切り口同士を縫合する縫合部が形成され、このようにして形成された縫合済み網地は、裏返されて整形されて四角錐状の網地となり、この網地に角枠を挿入することによりホタテ養殖篭となることを特徴とするホタテ養殖篭の製造方法。
【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
田の字状に形成された角枠と、該角枠を内底面に収納し、四角錐状の網地の稜線の先端部が平面視で前記角枠の角部より外方に位置する形状のホタテ養殖篭において、前記四角錐状の網地の稜線と前記角枠の角部から立ち上がる網地の稜線との前記角枠の角部より外方に位置する三角形のかど部をカットした形状とすることを特徴とするホタテ養殖篭であって、略正方形にカットされた網地は、正方形の各辺を二等分する中心線を仮想し、該中心線に各辺からＶ字状にカットを行い、正方形の各辺に三角形状の切欠きを形成し、Ｖ字状にカットされた網地は、仮想した中心線に沿って折り返し、網地を二つ折りに重ね、この重ね網地の折り返し部の三角形状の切欠きを含む左右辺は２枚重ねで縫合部が形成され、上部は同一網地側のＶ字の切り口同士を縫合する縫合部が形成され、このようにして形成された縫合済み網地は、裏返されて整形されて四角錐状の網地となり、この網地に角枠を挿入することによって製造されるホタテ養殖篭。
【請求項２】
略正方形にカットされた網地は、正方形の各辺を二等分する中心線を仮想し、該中心線に各辺からＶ字状にカットを行い、正方形の各辺に三角形状の切欠きを形成し、Ｖ字状にカットされた網地は、仮想した中心線に沿って折り返し、網地を二つ折りに重ね、この重ね網地の折り返し部の三角形状の切欠きを含む左右辺は２枚重ねで縫合部が形成され、上部は同一網地側のＶ字の切り口同士を縫合する縫合部が形成され、このようにして形成された縫合済み網地は、裏返されて整形されて四角錐状の網地となり、この網地に角枠を挿入することにより前記請求項１記載のホタテ養殖篭となることを特徴とするホタテ養殖篭の製造方法。